(57)【要約】【課題】潜込排紙と積層排紙の双方を良好に行うことができる排出装置および原稿搬送装置を提供することを目的とする。【解決手段】排出装置は、記録シート（原稿Ｍ１，Ｍ２）の幅方向に並んだ複数の排出ローラ１１０と、排出ローラ１１０との間で記録シートを挟持して排出部（排出フラップ２２）上に搬送する複数のピンチローラ１２０と、複数の排出ローラ１１０の間に挟まれるように同軸上に配され、排出ローラ１１０よりも大径であるコルゲーションローラ１３０とを備えている。そして、コルゲーションローラ１３０は、周面に記録シートの先端および後端と係合可能な複数の係合部（溝１３５）が形成され、かつ排出ローラ１１０に対して相対回転可能に構成されている。【選択図】図８
2010228867.tif 000002
【特許請求の範囲】
【請求項１】
搬送されてくる記録シートを排出部に排出する排出装置において、
前記記録シートの幅方向に並んだ複数の排出ローラと、
前記排出ローラの上方に配され、前記排出ローラとの間で前記記録シートを挟持して前記排出部上に搬送する複数のピンチローラと、
前記排出ローラと同軸上に、かつ、前記複数の排出ローラの間に挟まれるように配され、前記排出ローラよりも大径であるコルゲーションローラと、
前記排出ローラ、前記ピンチローラおよび前記コルゲーションローラを有するローラ群と前記排出部とのうち少なくとも一方を上下に変位させることにより、前記排出部上に既に排出された記録シートの下に後の記録シートを潜り込ませるように排出する潜込モードと、前記排出部上に既に排出された記録シートの上に後の記録シートを順に積層するように排出する積層モードとを切り替え可能な駆動機構と、
を備え、
前記コルゲーションローラは、周面に前記記録シートの先端および後端と係合可能な複数の係合部が形成され、かつ前記排出ローラに対して相対回転可能に構成されていることを特徴とする排出装置。
【請求項２】
前記係合部は、前記周面に設けられた溝であることを特徴とする請求項１に記載の排出装置。
【請求項３】
前記係合部には、記録シートの先端が当接する先端当接面と、記録シートの後端に当接する後端当接面とが形成されていることを特徴とする請求項１または請求項２に記載の排出装置。
【請求項４】
前記複数の排出ローラは、前記記録シートの幅方向に延びる軸に一体に固定され、
前記コルゲーションローラは、前記軸に回転可能に設けられていることを特徴とする請求項１〜請求項３のいずれか１項に記載の排出装置。
【請求項５】
前記軸には、全周に亘って延びる環状溝が形成され、
前記コルゲーションローラは、前記軸の中心線を含む面を基準にして分割された２つの部品を嵌め合わせることで構成され、
前記各部品の内面には、前記環状溝に係合する凸部が形成されていることを特徴とする請求項４に記載の排出装置。
【請求項６】
前記コルゲーションローラの軸方向両端部の外径は、軸方向外側に向かうにつれて小径となるように形成されていることを特徴とする請求項１〜請求項５のいずれか１項に記載の排出装置。
【請求項７】
前記排出部は、前記記録シートの搬送方向上流側の端部が上下に揺動可能な排出フラップであり、
前記駆動機構は、前記排出フラップを上下に揺動させることを特徴とする請求項１〜請求項６のいずれか１項に記載の排出装置。
【請求項８】
前記ピンチローラの少なくとも一方の端部の周面には、前記記録シートを搬送方向前方に向けて押圧する複数の押圧部が設けられていることを特徴とする請求項１〜請求項７のいずれか１項に記載の排出装置。
【請求項９】
搬送されてくる記録シートを排出部に排出する排出装置において、
前記記録シートの幅方向に並んだ複数の排出ローラと、
前記排出ローラの上方に配され、前記排出ローラとの間で前記記録シートを挟持して前記排出部上に搬送する複数のピンチローラと、
前記排出ローラと同軸上に、かつ、前記幅方向で前記複数の排出ローラの間に挟まれるように配され、前記排出ローラよりも大径であるコルゲーションローラと、
を備え、
前記コルゲーションローラは、周面に前記記録シートの先端および後端と係合可能な複数の係合部が形成され、かつ前記排出ローラに対して相対回転可能に構成されていることを特徴とする排出装置。
【請求項１０】
請求項１〜請求項９のいずれか１項に記載の排出装置を備えたことを特徴とする原稿搬送装置。
【発明の詳細な説明】
【技術分野】
【０００１】
本発明は、装置本体内で搬送されてきた用紙（記録シート）を外部に排出する排出装置と、この排出装置を備えた原稿搬送装置に関する。
【背景技術】
【０００２】
一般に、排出装置として、用紙の幅方向に並んだ複数の排出ローラと、排出ローラの上方に配され、排出ローラとの間で用紙を挟持して搬送する複数のピンチローラと、排出ローラとピンチローラとのニップ部分（接触部分）よりも下に配置される排紙トレイとを備えるものが知られている。このような排出装置では、排出ローラとピンチローラとニップ部分から排紙トレイに向けて排紙される用紙がコシの弱いものであると、用紙の先端が垂れ下がって、用紙が丸まった状態で排紙トレイ上に載置されるので、良好に用紙を積層させることができない問題がある。
【０００３】
このような問題に対し、従来、排出ローラよりも大径である複数のコルゲーションローラを、排出ローラと同軸上に、かつ、複数の排出ローラの間に挟まれるように配することで、用紙を波形状にしてコシを強くさせるものが知られている（特許文献１参照）。さらに、この技術では、コルゲーションローラの周面に溝を付けることによって、この溝で用紙の後端が下方の排紙トレイに向けて蹴り下げられるので、次に来る用紙が前の用紙の後端にぶつからずに、確実に前の用紙の上に積層させることが可能となっている。
【先行技術文献】
【特許文献】
【０００４】
【特許文献１】特開２００７−２２７６６号公報
【発明の概要】
【発明が解決しようとする課題】
【０００５】
ところで、本出願人は、排出装置として排出ローラとピンチローラとのニップ部分に対して排紙トレイを上下動させることで、前述した積層排紙と、用紙の下側に次の用紙を潜り込ませていく潜込排紙とを切り替え可能なものを検討している。
【０００６】
しかしながら、このような積層排紙と潜込排紙とを切り替える構造に前述した溝付きのコルゲーションローラを適用した場合には、積層排紙時には問題ないものの潜込排紙時に、コルゲーションローラの溝によって前の用紙の用紙後端が蹴り下げられるので、次に来る用紙が前の用紙の下ではなく上に積層されてしまい、潜込排紙を行うことができなくなる問題があった。
【０００７】
そこで、本発明は、潜込排紙と積層排紙の双方を良好に行うことができる排出装置および原稿搬送装置を提供することを目的とする。
【課題を解決するための手段】
【０００８】
前記課題を解決する本発明は、搬送されてくる記録シートを排出部に排出する排出装置において、前記記録シートの幅方向に並んだ複数の排出ローラと、前記排出ローラの上方に配され、前記排出ローラとの間で前記記録シートを挟持して前記排出部上に搬送する複数のピンチローラと、前記排出ローラと同軸上に、かつ、前記複数の排出ローラの間に挟まれるように配され、前記排出ローラよりも大径であるコルゲーションローラと、前記排出ローラ、前記ピンチローラおよび前記コルゲーションローラを有するローラ群と前記排出部とのうち少なくとも一方を上下に変位させることにより、前記排出部上に既に排出された記録シートの下に後の記録シートを潜り込ませるように排出する潜込モードと、前記排出部上に既に排出された記録シートの上に後の記録シートを順に積層するように排出する積層モードとを切り替え可能な駆動機構と、を備え、前記コルゲーションローラは、周面に前記記録シートの先端および後端と係合可能な複数の係合部が形成され、かつ前記排出ローラに対して相対回転可能に構成されていることを特徴とする。
【０００９】
本発明によれば、排出ローラとコルゲーションローラが一体に回転しないので、排出ローラとピンチローラとの間で記録シートを搬送する際、記録シートの後端がコルゲーションローラの係合部で蹴り下げられることがない。そして、記録シートの後端が排出ローラとピンチローラのニップ部分を抜けた後は、潜込モードの場合には、ニップ部分よりも排出部（特に記録シートの後部を支持する部分）が上方にあることにより、記録シートの後端が跳ね上がってコルゲーションローラから離れる。これにより、次の記録シートを前の記録シートの下に良好に潜り込ませることができる。なお、次の記録シートの先端でコルゲーションローラの係合部が押されてコルゲーションローラが回転しても、前の記録シートの後端は跳ね上がってコルゲーションローラから離れているので、係合部によって前の記録シートの後端を蹴り下げることはない。
【００１０】
一方、積層モードの場合には、ニップ部分よりも排出部（特に記録シートの後部を支持する部分）が下方にあることにより、排出ローラとピンチローラのニップ部分を抜けた後の記録シートの後端は、跳ね上がらずにコルゲーションローラ上に載る。そのため、次に搬送されてくる記録シートの先端でコルゲーションローラの係合部が押されると、コルゲーションローラが回転して前の記録シートの後端がコルゲーションローラの係合部で蹴り下げられる。これにより、次の記録シートの先端を前の記録シートの後端の上方へ確実に通らせることができ、次の記録シートを前の記録シート上に確実に積層させることができる。
【００１１】
なお、本発明に係る排出装置としては、前述した駆動機構を備えない構造のものを採用してもよい。この場合であっても、例えば潜込モード（潜込排紙）のみを行う仕様の排出装置を製造する場合には、前述した潜込モード時の効果を得ることができ、積層モード（積層排紙）のみを行う仕様の排出装置を製造する場合には、前述した積層モード時の効果を得ることができる。
【００１２】
また、本発明に係る原稿搬送装置は、前述した排出装置を備えたことを特徴とする。この原稿搬送装置によっても、前述した効果を得ることができる。
【発明の効果】
【００１３】
本発明によれば、潜込モード時にはコルゲーションローラの係合部で記録シートの後端が蹴り下げられず、積層モード時にはコルゲーションローラの係合部で記録シートの後端が蹴り下げられるので、潜込排紙と積層排紙の双方を良好に行うことができる。
【図面の簡単な説明】
【００１４】
【図１】本発明の実施形態に係る排出装置を備えた原稿読取装置の全体構成を示す図である。
【図２】原稿搬送部の拡大図である。
【図３】（ａ）および（ｂ）は両面読取時の動作を説明するための図である。
【図４】片面読取時の動作を説明するための図である。
【図５】排紙用ローラ群を拡大して示す拡大斜視図である。
【図６】コルゲーションローラを回転軸から分解して示す分解斜視図である。
【図７】コルゲーションローラを径方向から見た図である。
【図８】（ａ）および（ｂ）は潜込モード時の作用を示す図である。
【図９】（ａ）および（ｂ）は積層モード時の作用を示す図である。
【発明を実施するための形態】
【００１５】
次に、本発明の実施形態について、適宜図面を参照しながら詳細に説明する。以下の説明において、「上流側」および「下流側」とは、原稿の搬送方向における上流側・下流側をいう。
【００１６】
図１に示すように、原稿読取装置１は、公知の構成を有するフラットベッドスキャナ２と、記録シートの一例としての原稿を読取位置Ｒに搬送する原稿搬送装置３と、原稿の読取動作を制御する制御装置４とを主に備えている。
【００１７】
＜フラットベッドスキャナの構成＞
フラットベッドスキャナ２は、原稿を載置する原稿台となるプラテンガラス２Ｇと、イメージセンサ２Ｓとを主に備えている。このフラットベッドスキャナ２では、イメージセンサ２Ｓによって、プラテンガラス２Ｇに載置された原稿を走査しながら読み取ることができるとともに、読取位置Ｒに搬送された原稿を読み取ることができる。
【００１８】
＜原稿搬送装置の構成＞
原稿搬送装置３は、原稿を読取位置Ｒに搬送して、原稿の片面または両面をイメージセンサ２Ｓに読み取らせる装置であり、フラットベッドスキャナ２の上方に配置され、プラテンガラス２Ｇに対して開閉可能に設けられている。この原稿搬送装置３は、原稿を載置する供給トレイ１０と、原稿が排出される排出トレイ２０と、原稿を搬送する原稿搬送部３０とを主に備えている。
【００１９】
［排出トレイの構成］
排出トレイ２０は、供給トレイ１０の上方に配置され、固定トレイ２１と、固定トレイ２１の上流側に配置された排出部の一例としての排出フラップ２２とから主に構成されている。
固定トレイ２１は、原稿搬送部３０に対して変位しないように固定されている。
【００２０】
排出フラップ２２は、下流側に設けられた揺動軸２２Ａを中心として、固定トレイ２１に対して上下に揺動可能となるように、原稿搬送装置３の本体フレーム３０Ａに支持されている。この排出フラップ２２は、上流側の先端部に、下方に屈曲した屈曲部２２Ｃが形成されている。また、排出フラップ２２の上流側の先端部には、駆動機構の一例としてのカム２４が係合している。
【００２１】
カム２４は、排出フラップ２２の下方で幅方向両端に渡って延びる押上バー２４Ａと、排出フラップ２２の両側に配置された軸部２４Ｂと、押上バー２４Ａの両端と各軸部２４Ｂを連結する連結部２４Ｃとから構成されている。各軸部２４Ｂは本体フレーム３０Ａに軸支されている。
【００２２】
このカム２４は、制御装置４により制御される図示しない駆動手段によって正逆方向に回動することで、排出フラップ２２を、図１に示す下方にある状態と、図４に示す上方にある状態との間で揺動させる。これによって、原稿の排出モードを後述する積層モードと潜込モードとに切り替えることができる。
【００２３】
［原稿搬送部の構成］
図２に示すように、原稿搬送部３０には、原稿を供給トレイ１０から排出トレイ２０に案内する搬送経路３１と、原稿をスイッチバックさせるための反転経路３２とが形成されている。
【００２４】
搬送経路３１は、供給トレイ１０から略水平に延びる吸入路３１Ａと、吸入路３１Ａから斜め下方に向かって延びる傾斜路３１Ｂと、傾斜路３１Ｂから略水平に延びる水平路３１Ｃと、水平路３１Ｃから上方に向かって弧状に延びる湾曲路３１Ｄと、湾曲路３１Ｄから排出トレイ２０（外部）に向かって斜め上方に延びる排出路３１Ｅとから構成されている。搬送経路３１のうち、水平路３１Ｃの下側は、プラテンガラス２Ｇを介してイメージセンサ２Ｓと対向する読取位置Ｒとなっている。
【００２５】
搬送経路３１には、原稿を供給トレイ１０から読取位置Ｒを経て排出トレイ２０に搬送する搬送機構が設けられている。搬送機構は、吸入路３１Ａに設けられた吸入ローラ４１、吸入ニップ片４２、分離ローラ４３および分離ニップ片４４と、傾斜路３１Ｂに設けられた第１搬送ローラ４５と、湾曲路３１Ｄに設けられた第２搬送ローラ４７と、排出路３１Ｅに設けられた排紙用ローラ群１００とから主に構成されている。
【００２６】
吸入ローラ４１と吸入ニップ片４２は、供給トレイ１０上の原稿を分離ローラ４３に寄せる部材であり、分離ローラ４３と分離ニップ片４４は、原稿を１枚ずつ分離して読取位置Ｒに送り出す部材である。また、第１搬送ローラ４５と第２搬送ローラ４７は、搬送経路３１において原稿を搬送するローラであり、排紙用ローラ群１００は、読取が終了した原稿を排出トレイ２０に排出するものである。
【００２７】
ここで、排紙用ローラ群１００は、搬送されてくる原稿を排出トレイ２０に排出する排出装置として機能している。なお、排紙用ローラ群１００については、後で詳述することとする。
【００２８】
反転経路３２は、湾曲路３１Ｄから分岐して外部（図２の右側）に向かって延びる第１反転経路３２Ａと、第１反転経路３２Ａの略中央から分岐して斜め下方に延び、傾斜路３１Ｂに合流する第２反転経路３２Ｂとから構成されている。この反転経路３２には、スイッチバック時に原稿を搬送したり、ガイドしたりする反転機構が設けられている。
【００２９】
反転機構は、第１反転経路３２Ａに設けられた第３搬送ローラ５１およびスイッチバックローラ５３と、湾曲路３１Ｄと第１反転経路３２Ａとの分岐部分に設けられた第１ガイド部材６１と、第１反転経路３２Ａと第２反転経路３２Ｂとの分岐部分に設けられた第２ガイド部材６２とから構成されている。
【００３０】
第３搬送ローラ５１は、第１反転経路３２Ａにおいて原稿を搬送するローラであり、スイッチバックローラ５３は、原稿の一部を外部に排出するローラである。第１ガイド部材６１と第２ガイド部材６２は、揺動可能に構成され、原稿が搬送される経路を切り替える部材である。
【００３１】
＜制御装置の構成＞
制御装置４は、図示しないＣＰＵ、ＲＡＭ、ＲＯＭ、入出力回路などを備えて構成されており、原稿搬送装置３内の適宜な位置に配置されている。そして、この制御装置４は、片面読取や両面読取に対応するようにカム２４や各ガイド部材６１，６２の姿勢を適宜切り替えている。なお、片面読取や両面読取の選択は、図１に示すような複数の操作ボタンからなる操作部５をユーザが操作することで行われる。
【００３２】
＜原稿読取装置の動作＞
以上のように構成された原稿読取装置１の動作について説明する。
【００３３】
［両面読取時の動作］
図３（ａ）に示すように、両面読取時には、原稿Ｍ２は、表の読取面Ｐ３を下向きにし、裏の読取面Ｐ４を上向きにして供給トレイ１０上にセットされる。また、ユーザが操作部５（図１参照）を操作して両面読取を選択すると、排出フラップ２２が下方に、第１ガイド部材６１が上方に、第２ガイド部材６２が下方に、それぞれ揺動する。
【００３４】
ユーザが読取開始の指示を入力すると、供給トレイ１０上の原稿Ｍ２は、分離ローラ４３や第１搬送ローラ４５などによって読取位置Ｒに搬送されて読取面Ｐ３が読み取られる。その後、第２搬送ローラ４７によって湾曲路３１Ｄを搬送され、第１ガイド部材６１の下面に沿って第１反転経路３２Ａに入って、第３搬送ローラ５１やスイッチバックローラ５３によって第１反転経路３２Ａを外部に向けて搬送される。
【００３５】
原稿Ｍ２のほぼ全部がスイッチバックローラ５３から排出されると、スイッチバックローラ５３は公知の制御によって一時的に停止する。このとき、原稿Ｍ２は、表の読取面Ｐ３を上向きにし、裏の読取面Ｐ４を下向きにした状態となる。また、第１ガイド部材６１が下方に、第２ガイド部材６２が上方に、それぞれ揺動して原稿の経路を切り替える。
【００３６】
そして、スイッチバックローラ５３が反転することで、図３（ｂ）に示すように、原稿Ｍ２は、第１反転経路３２Ａに引き戻され、第２ガイド部材６２の下面に沿って第２反転経路３２Ｂに入り、再び傾斜路３１Ｂに搬送され、第１搬送ローラ４５によって読取位置Ｒに搬送されて読取面Ｐ４が読み取られる。その後、第２搬送ローラ４７と排紙用ローラ群１００によって湾曲路３１Ｄと排出路３１Ｅを搬送され、表の読取面Ｐ３を下向きにし、裏の読取面Ｐ４を上向きにした状態で排出トレイ２０上に排出される。
【００３７】
ここで、排出フラップ２２が下方にある状態では、排出フラップ２２の屈曲部２２Ｃが排紙用ローラ群１００のニップ部分よりも下方に位置しているので、屈曲部２２Ｃ上に載っている既に排出された原稿Ｍ１の後端は排紙用ローラ群１００のニップ部分よりも下方に位置することとなる。これにより、後に排出される原稿Ｍ２は、排出トレイ２０上に既に排出された原稿Ｍ１の上に順に積層するように排出される。このときの排出モードを積層モードという。
【００３８】
積層モードでは、原稿は、表の読取面を下向きにし、裏の読取面を上向きにして、既に排出された原稿の上に順に積層するように排出されるので、原稿Ｍ１，Ｍ２のページ順を、下から順にＰ１，Ｐ２，Ｐ３，Ｐ４と整列させることができる。この順番は、原稿Ｍ１，Ｍ２を供給トレイ１０に載置したときのページ順と同じである。
【００３９】
［片面読取時の動作］
図４に示すように、片面読取時には、原稿Ｍ２は、読取面Ｐ２を下向きにして供給トレイ１０上にセットされる。また、ユーザが操作部５を操作して片面読取を選択すると、排出フラップ２２が上方に、第１ガイド部材６１が下方に、それぞれ揺動する。
【００４０】
ユーザが読取開始の指示を入力すると、供給トレイ１０上の原稿Ｍ２は、分離ローラ４３や第１搬送ローラ４５などによって読取位置Ｒに搬送されて読取面Ｐ２が読み取られる。その後、第２搬送ローラ４７と排紙用ローラ群１００によって湾曲路３１Ｄと排出路３１Ｅを搬送され、読取面Ｐ２を上向きにした状態で排出トレイ２０上に排出される。
【００４１】
ここで、排出フラップ２２が上方にある状態では、排出フラップ２２の屈曲部２２Ｃが排紙用ローラ群１００のニップ部分よりも上方に位置しているので、排出フラップ２２上に載っている既に排出された原稿Ｍ１の後端は排紙用ローラ群１００のニップ部分よりも上方に位置することとなる。これにより、後に排出される原稿Ｍ２は、排出トレイ２０上に既に排出された原稿Ｍ１の後側部分に下方から当接した後、原稿Ｍ１の下に潜り込むように排出される。このときの排出モードを潜込モードという。
【００４２】
潜込モードでは、原稿は、読取面を上向きにして、既に排出された原稿の下に順に潜り込むように排出されるので、原稿Ｍ１，Ｍ２のページ順を、上から順にＰ１，Ｐ２と整列させることができる。この順番は、原稿Ｍ１，Ｍ２を供給トレイ１０に載置したときのページ順と同じである。
【００４３】
＜排紙用ローラ群の構造＞
次に、排紙用ローラ群１００の構造について詳細に説明する。
図５に示すように、排紙用ローラ群１００は、原稿の幅方向（搬送方向に直交する方向）に互いに間隔を空けて並ぶ複数の排出ローラ１１０と、排出ローラ１１０の上方に配される複数のピンチローラ１２０と、排出ローラ１１０と同軸上に設けられるコルゲーションローラ１３０とを備えている。
【００４４】
排出ローラ１１０は、円筒状の部材であり、原稿の幅方向に延びる回転軸１４０に一体に固定されている。回転軸１４０には、図示せぬ駆動源からギヤ等を介して駆動力が伝達されるようになっており、駆動力が回転軸１４０に伝達されると、回転軸１４０と排出ローラ１１０が一体に回転するようになっている。
【００４５】
ピンチローラ１２０は、排出ローラ１１０と接触した状態で原稿搬送装置３の本体フレーム３０Ａに回転可能に支持されており、回転する排出ローラ１１０に対して従動回転するようになっている。そして、このピンチローラ１２０は、排出ローラ１１０との間で原稿を挟持して前述した排出フラップ２２上に搬送する。
【００４６】
詳しくは、このピンチローラ１２０は、図１に示すように、排出ローラ１１０の鉛直方向における上方ではなく、鉛直方向上方の位置よりも上流側にずれた斜め上方の位置に配置されている。そのため、ピンチローラ１２０と排出ローラ１１０とで挟持された原稿は、図１の矢印で示すように、斜め上方に向けて排出される。
【００４７】
図５に示すように、ピンチローラ１２０の両端部の周面には、径方向外側に突出する複数の押圧部１２１が互いに間隔を空けて周方向に並んで形成されている。そして、各押圧部１２１は、ピンチローラ１２０が図５の反時計回りに回転することにより、原稿の後端を搬送方向前方に向けて押圧する。
【００４８】
コルゲーションローラ１３０は、排出ローラ１１０よりも大径のローラであり、原稿の幅方向で排出ローラ１１０と交互に並ぶように配されている。これにより、各ローラ１１０〜１３０に接触する原稿が波形状になって、原稿のコシが強くなっている。なお、コルゲーションローラ１３０は、複数の排出ローラ１１０の間に挟まれるように配されていればよく、例えば1つだけ設けてもよい。
【００４９】
そして、このコルゲーションローラ１３０は、回転軸１４０に対して相対回転可能に設けられており、これにより、排出ローラ１１０に対して相対回転可能に構成されている。具体的には、図６に示すように、コルゲーションローラ１３０は、回転軸１４０の中心線を含む面を基準にして分割された２つの半円筒状の部品１３０Ａ，１３０Ｂを嵌め合わせることで構成されている。
【００５０】
各部品１３０Ａ，１３０Ｂは、同じ金型によって同一形状に形成される樹脂製の部品であり、鉤状に先端が屈曲形成された係止爪部１３１と、係止爪部１３１が係止される係止リブ１３２がそれぞれに形成されている。また、各部品１３０Ａ，１３０Ｂの内面１３３には、内側に向けて突出する２つの凸部１３４が軸方向に間隔を空けて形成されている。
【００５１】
一方、回転軸１４０には、２つの凸部１３４に対応した位置に、全周に亘って延びる２つの環状溝１４１が形成されている。これにより、各部品１３０Ａ，１３０Ｂの間に回転軸１４０を挟んだ状態で各部品１３０Ａ，１３０Ｂを嵌め合わせると、各凸部１３４が各環状溝１４１内に入って係合することで、コルゲーションローラ１３０が回転軸１４０に対して軸方向にずれることが抑制される。
【００５２】
また、コルゲーションローラ１３０の周面には、係合部の一例として軸方向に貫通する複数の溝１３５が、周方向に間隔を空けて並ぶように形成されている。そして、溝１３５を形成する一対の側面のうち一方の側面は、原稿の先端が当接（係合）する先端当接面１３５Ａとして形成され、他方の側面は、原稿の後端に当接（係合）する後端当接面１３５Ｂとして形成されている。
【００５３】
また、図７に示すように、コルゲーションローラ１３０の軸方向両端部１３６の外径は、軸方向外側に向かうにつれて小径となるテーパ状に形成されている。これにより、原稿を滑らかな波形状にすることが可能となっている。
【００５４】
＜コルゲーションローラの作用＞
次に、コルゲーションローラ１３０の作用について説明する。
【００５５】
［潜込モード時の作用］
図８（ａ）に示すように、潜込モード時においては、原稿Ｍ１の後端が排出ローラ１１０とピンチローラ１２０とのニップ部分ＮＰを抜けても、コルゲーションローラ１３０が回転しないことによって、原稿Ｍ１の後端がコルゲーションローラ１３０の溝１３５によって蹴り下げられることはない。
【００５６】
そして、このように原稿Ｍ１の後端がニップ部分ＮＰを抜けた後は、ニップ部分ＮＰよりも上方に位置する排出フラップ２２で原稿Ｍ１の後端から少し前方に離れた部位が支持されることにより、図８（ｂ）に示すように、原稿Ｍ１のコシによって原稿Ｍ１の後端が跳ね上がる。
【００５７】
ここで、コルゲーションローラ１３０が排出ローラ１１０と一体回転するように構成されている場合には、コシによって原稿Ｍ１の後端が跳ね上がろうとしても、駆動源からの強い力で回転するコルゲーションローラ１３０の溝１３５で原稿Ｍ１の後端が捕捉され、原稿Ｍ１の後端が蹴り下げられてしまう。しかし、本実施形態では、コルゲーションローラ１３０が排出ローラ１１０に対して相対回転可能となることで、コルゲーションローラ１３０が回転しないので、コシによって原稿Ｍ１の後端が良好に跳ね上がるようになっている。
【００５８】
また、このようにコシによって原稿Ｍ１の後端が跳ね上がる際に、原稿Ｍ１の後端が、回転するピンチローラ１２０の押圧部１２１で押された場合には、その跳ね上がりが押圧部１２１で補助され、確実に後端を跳ね上げることが可能となっている。
【００５９】
そして、このように原稿Ｍ１の後端が跳ね上がることにより、次の原稿Ｍ２を前の原稿Ｍ１の下に良好に潜り込ませることができる。また、後端の跳ね上がりにより原稿Ｍ１の後端がコルゲーションローラ１３０から離れるため、次の原稿Ｍ２の先端でコルゲーションローラ１３０の溝１３５が押されてコルゲーションローラ１３０が回転しても、コルゲーションローラ１３０の溝１３５によって前の原稿Ｍ１の後端を蹴り下げることはない。
【００６０】
［積層モード時の作用］
図９（ａ）に示すように、積層モードの場合には、排出ローラ１１０とピンチローラ１２０のニップ部分ＮＰよりも排出フラップ２２の上流側部分（例えば屈曲部２２Ｃ）が下方にあることにより、ニップ部分ＮＰを抜けた後の原稿Ｍ１の後端は、跳ね上がらずにコルゲーションローラ１３０上に載る。そのため、図９（ｂ）に示すように、次に搬送されてくる原稿Ｍ２の先端でコルゲーションローラ１３０の溝１３５が押されると、前の原稿Ｍ１の後端がコルゲーションローラ１３０の溝１３５で蹴り下げられる。これにより、次の原稿Ｍ２の先端を前の原稿Ｍ１の後端の上方へ確実に通らせることができ、次の原稿Ｍ２を前の原稿Ｍ１の上に確実に積層させることができる。
【００６１】
以上によれば、本実施形態において以下のような効果を得ることができる。
潜込モード（潜込排紙）時にはコルゲーションローラ１３０の溝１３５で原稿Ｍ１の後端が蹴り下げられず、積層モード（積層排紙）時にはコルゲーションローラ１３０の溝１３５で原稿Ｍ１の後端が蹴り下げられるので、潜込排紙と積層排紙の双方を良好に行うことができる。
【００６２】
原稿の先端および後端に係合可能な係合部として、コルゲーションローラ１３０の周面に形成する溝１３５を採用したので、周面から突出する突起を係合部として採用する場合に比べ、原稿の波形状の高さを抑えることができる。これにより、原稿を所定の波形状に変形させる際に発生する騒音を抑えることができる。
【００６３】
複数の排出ローラ１１０が一体に固定される回転軸１４０に対して、複数のコルゲーションローラ１３０をそれぞれ回転可能に設けたので、複数の排出ローラと複数のコルゲーションローラをそれぞれ別々に装置本体に対して回転可能に設ける構造に比べ、構造を簡易化することができる。
【００６４】
回転軸１４０に形成した環状溝１４１に係合する凸部１３４をコルゲーションローラ１３０に設けたので、回転軸１４０に対するコルゲーションローラ１３０の軸方向へのずれを抑制することができる。
【００６５】
コルゲーションローラ１３０の軸方向両端部１３６の外径が、軸方向外側に向かうにつれて小径となるので、原稿の波形状を滑らかな形状にすることができ、皺の発生を抑えることができる。
【００６６】
ピンチローラ１２０に原稿の後端を押圧する押圧部１２１を設けたので、潜込モード時における原稿Ｍ１の跳ね上がりを促進させ、次の原稿Ｍ２を確実に前の原稿Ｍ１の下に潜り込ませることができる。
【００６７】
なお、本発明は前記実施形態に限定されることなく、以下に例示するように様々な形態で利用できる。
前記実施形態では、コルゲーションローラ１３０の周面に形成される溝１３５を係合部として採用したが、本発明はこれに限定されず、周面から突出する突起を係合部として採用してもよい。
【００６８】
前記実施形態では、排紙モードを切り替えるために、排出部である排出フラップ２２を排紙用ローラ群１００に対して上下に揺動させたが、本発明はこれに限定されるものではない。例えば、排出部に対して排紙用ローラ群を上下動させてもよいし、排出部と排紙用ローラ群とをともに上下動させてもいい。また、排出部としては、揺動するものではなく、上下にスライドするものを採用してもよい。
【００６９】
前記実施形態では、環状溝１４１と凸部１３４をそれぞれ２つずつ設けたが、本発明はこれに限定されず、１つまたは３つ以上設けてもよい。なお、２つ以上設けた場合には、そのうちの１つの環状溝および凸部の幅を、他の環状溝および凸部の幅と異なる幅にすることで、コルゲーションローラを誤った向きに装着するのを防止することができる。また、３つ以上設けた場合には、各環状溝および各凸部を等間隔とはならないように配置することで、前述したような誤装着を防止することができる。
【００７０】
前記実施形態では、ピンチローラ１２０の両端部に押圧部１２１を設けたが、本発明はこれに限定されず、ピンチローラの一端部のみに押圧部を設けてもよい。
前記実施形態では、排出装置を原稿搬送装置３に組み込んだが、本発明はこれに限定されず、例えばプリンタや複写機などの画像形成装置に排出装置を組み込んでもよい。
【００７１】
前記実施形態では、印字されている原稿を記録シートとして採用したが、本発明はこれに限定されず、例えば排出装置が画像形成装置に適用された場合には、未使用の用紙やＯＨＰシートなどであってもよい。
【符号の説明】
【００７２】
３      原稿搬送装置
４      制御装置
１０    供給トレイ
２０    排出トレイ
２１    固定トレイ
２２    排出フラップ
２２Ａ  揺動軸
２２Ｃ  屈曲部
２４    カム
１００  排紙用ローラ群
１１０  排出ローラ
１２０  ピンチローラ
１２１  押圧部
１３０  コルゲーションローラ
１３５  溝
１３５Ａ  先端当接面
１３５Ｂ  後端当接面
１４０  回転軸
Ｍ１，Ｍ２  原稿
【図１】
2010228867.tif 000003
【図２】
2010228867.tif 000004
【図３】
2010228867.tif 000005
【図４】
2010228867.tif 000006
【図５】
2010228867.tif 000007
【図６】
2010228867.tif 000008
【図７】
2010228867.tif 000009
【図８】
2010228867.tif 000010
【図９】
2010228867.tif 000011